(57)【要約】      （修正有）【課題】冷暖モードの決定に対する多様な顧客ニーズに現場において簡易に応えることができ、しかもより運転ニーズの高い運転モードを選択して冷暖房運転することができるマルチ形空気調和システムを提供する。【解決手段】複数台の室内機７Ａ，７Ｂが同じ冷房モードまたは暖房モードで運転されるマルチ形空気調和システム１において、室外コントローラ４０は、複数の冷暖モード優先パターンが設定されている冷暖モード優先パターン設定部４１と、その冷暖モード優先パターンのいずれかで各室内機７Ａ，７Ｂを運転する運転制御部４２と、複数の冷暖モード優先パターンの中からいずれかを選択するパターン選択部４３と、を備え、顧客ニーズに応じて、パターン選択部４３により複数の冷暖モード優先パターンの中から少なくとも１つを選択し、その冷暖モード優先パターンで運転モードを決定する構成とする。【選択図】図１
2014102053.tif 000002
【特許請求の範囲】
【請求項１】
少なくとも１台の室外機に対して、複数台の室内機が並列に接続され、各室内機が同じ冷房モードまたは暖房モードで運転されるマルチ形空気調和システムにおいて、
前記室外機側のコントローラは、複数の冷暖モード優先パターンが設定されている冷暖モード優先パターン設定部と、該冷暖モード優先パターン設定部に設定された冷暖モード優先パターンのいずれかで各室内機を運転する運転制御部と、前記冷暖モード優先パターン設定部に設定されている複数の冷暖モード優先パターンの中からいずれかを選択するパターン選択部と、を備え、
顧客ニーズに応じて、前記パターン選択部により前記冷暖モード優先パターン設定部に設定されている複数の冷暖モード優先パターンの中から少なくとも１つが選択され、その冷暖モード優先パターンにより運転モードが決定される構成とされていることを特徴とするマルチ形空気調和システム。
【請求項２】
前記冷暖モード優先パターン設定部には、前記各室内機側からの要求周波数または要求周波数割合に基づいて運転モードを決定する複数の冷暖モード優先パターンが設定されていることを特徴とする請求項１に記載のマルチ形空気調和システム。
【請求項３】
前記冷暖モード優先パターン設定部に対して設定される複数の冷暖モード優先パターンとして、
（１）サーモＯＮされている前記室内機の要求周波数合計値が多い方の運転モードを選択するサーモＯＮ要求周波数合計優先パターン
（２）サーモＯＮされている前記室内機の要求周波数割合合計値が多い方の運転モードを選択するサーモＯＮ要求周波数割合合計優先パターン
（３）前記各室内機の要求周波数割合を比較して、その値が一番大きい室内機の運転モードを選択し、所定時間後に優先室内機の要求周波数割合が低下して他の室内機以下となったら再計算する要求ニーズが高い室内機優先パターン
（４）リモコン後押し室内機の要求周波数割合を他のモードの室内機と比較して、後押し室内機の値の方が他のモードの室内機の値に比べて大きい場合、後押し室内機の運転モードを優先し、所定時間後に新規リモコンＯＮ室内機の要求周波数割合が他の室内機以下となったら再計算してサーモＯＮ要求周波数割合合計優先パターンの戻るリモコン後押し優先アルファパターンＡ
（５）リモコン後押し室内機の要求周波数を他のモードの室内機と比較し、後押し室内機の値の方が他のモードの室内機の値に比べて大きい場合、後押し室内機の運転モードを優先し、所定時間後に新規リモコンＯＮ室内機の要求周波数が他の室内機以下となったら再計算してサーモＯＮ要求周波数合計優先パターンの戻るリモコン後押し優先アルファパターンＢ
の中の少なくとも２以上のパターンが設定されていることを特徴とする請求項２に記載のマルチ形空気調和システム。
【請求項４】
前記（１）ないし（５）の冷暖モード優先パターンに加えて、前記冷暖モード優先パターン設定部には、
（６）リモコンＯＮ室内機台数が多い方の運転モードを選択するリモコンＯＮ室内機台数優先パターン
（７）リモコンＯＮ室内機容量合計値が多い方の運転モードを選択するリモコンＯＮ室内機容量優先パターン
（８）サーモＯＮ室内機台数が多い方の運転モードを選択するサーモＯＮ室内機台数優先パターン
（９）サーモＯＮ室内機容量合計値が多い方の運転モードを選択するサーモＯＮ室内機容量優先パターン
（１０）リモコン先押し室内機の運転モードを優先する先押し優先モードのサーモＯＮ室内機がゼロとなったら、運転モードを再計算するリモコン先押し優先アルファパターン
の少なくとも１以上のパターンが設定されていることを特徴とする請求項３に記載のマルチ形空気調和システム。
【請求項５】
前記パターン選択部は、７セグメントの表示・選択部、集中コントローラまたは外部からの指令信号のいずれかにより構成されていることを特徴とする請求項１ないし４のいずれかに記載のマルチ形空気調和システム。
【発明の詳細な説明】
【技術分野】
【０００１】
本発明は、少なくとも１台の室外機に対して、複数台の室内機が並列に接続され、各室内機が同一の冷房モードまたは暖房モードで運転されるマルチタイプの空気調和システムに関するものである。
【背景技術】
【０００２】
冷暖切換え方式のマルチ形空気調和システムにおいては、同一の室外機に接続されている複数台の室内機は全て同一の冷房モードまたは暖房モードで運転する必要がある。この冷・暖房モードの決定の仕方には、さまざまな方式が考えられている。例えば、特許文献１には、冷房または暖房設定の室内機が同数の場合、室温とその時の運転モードの基準温度との温度差が大きい方の室内機の運転モードを優先し、同数でない場合は、冷房または暖房設定の多い方の運転モードを優先するリモコンＯＮ室内機台数優先パターンによる方式が開示されている。
【０００３】
また、特許文献２には、特定室内機の運転モードを優先するパターンとし、その場合の他の室内環境の快適度を高めるため、室内機毎に設定温度と室温との温度差を算出し、該温度差が許容温度範囲から逸脱している室内機を検出する手段を設け、その検出手段で検出された室内機の温度差を小さくするように室外機の運転モードを決定するようにしたものが開示されている。
【０００４】
その他のパターンとして、１台の室内機でも暖房リモコンＯＮなら暖房モードとする暖房優先パターン、１台の室内機でも冷房リモコンＯＮなら冷房モードとする冷房優先パターン、更にはリモコンが先押しされた室内機の運転モードを優先するリモコン先押し優先パターン、リモコンが後押しされた室内機の運転モードを優先するリモコン後押し優先パターン、リモコンＯＮ室内機容量の多い方の運転モードを優先するパターン、サーモＯＮ室内機台数の多い方の運転モードを優先するパターン、サーモＯＮ室内機容量の多い方の運転モードを優先するパターン等が知られている。
【先行技術文献】
【特許文献】
【０００５】
【特許文献１】特開昭６３−２０１４４６号公報
【特許文献２】特許第４２５９８４６号公報
【発明の概要】
【発明が解決しようとする課題】
【０００６】
しかしながら、上記優先パターンのいずれの場合にも、それぞれ一長一短があり、多様な顧客ニーズに応えられる状況にはなく、如何にして多様な顧客ニーズに応えるかが１つの課題となっていた。特に、上記の各優先パターンは、必ずしも各室内機からの冷房要求度あるいは暖房要求度を加味して運転モードを決定しているとは云えない面があり、より運転ニーズの高い運転モードを選択して冷暖房を行うことができるマルチ形空気調和システムの提供が望まれていた。
【０００７】
本発明は、このような事情に鑑みてなされたものであって、冷暖モードの決定に対する多様な顧客ニーズに現場において簡易に応えることができ、しかもより運転ニーズの高い運転モードを選択して冷暖房運転することができるマルチ形空気調和システムを提供することを目的とする。
【課題を解決するための手段】
【０００８】
上記した課題を解決するために、本発明のマルチ形空気調和システムは、以下の手段を採用する。
すなわち、本発明にかかるマルチ形空気調和システムは、少なくとも１台の室外機に対して、複数台の室内機が並列に接続され、各室内機が同じ冷房モードまたは暖房モードで運転されるマルチ形空気調和システムにおいて、前記室外機側のコントローラは、複数の冷暖モード優先パターンが設定されている冷暖モード優先パターン設定部と、該冷暖モード優先パターン設定部に設定された冷暖モード優先パターンのいずれかで各室内機を運転する運転制御部と、前記冷暖モード優先パターン設定部に設定されている複数の冷暖モード優先パターンの中からいずれかを選択するパターン選択部と、を備え、顧客ニーズに応じて、前記パターン選択部により前記冷暖モード優先パターン設定部に設定されている複数の冷暖モード優先パターンの中から少なくとも１つが選択され、その冷暖モード優先パターンにより運転モードが決定される構成とされていることを特徴とする。
【０００９】
本発明によれば、室外機側のコントローラが、複数の冷暖モード優先パターンが設定されている冷暖モード優先パターン設定部と、該冷暖モード優先パターン設定部に設定された冷暖モード優先パターンのいずれかで各室内機を運転する運転制御部と、冷暖モード優先パターン設定部に設定されている複数の冷暖モード優先パターンの中からいずれかを選択するパターン選択部と、を備えているため、冷暖モードを決定するパターンを、室外機側コントローラの冷暖モード優先パターン設定部に設定されている複数の冷暖モード優先パターンの中から、顧客ニーズに最も適合すると考えられるものをパターン選択部により選択して設定することが可能となり、その冷暖モード優先パターンにより運転モードを決定して冷房または暖房運転を行うことができる。従って、冷暖モードの決定に対する多様な顧客ニーズにも、最適なパターンを現場で簡易に選択し、設定することにより応えることができるようになる。
【００１０】
さらに、本発明のマルチ形空気調和システムは、上記のマルチ形空気調和システムにおいて、前記冷暖モード優先パターン設定部には、前記各室内機側からの要求周波数または要求周波数割合に基づいて運転モードを決定する複数の冷暖モード優先パターンが設定されていることを特徴とする。
【００１１】
本発明によれば、冷暖モード優先パターン設定部に、各室内機側からの要求周波数または要求周波数割合に基づいて運転モードを決定する複数の冷暖モード優先パターンが設定されているため、各室内機側から出力される冷房または暖房の要求周波数または要求周波数割合に基づいて運転モードを決定することにより、各室内機からの冷房要求度あるいは暖房要求度を加味して運転モードを決定することができる。従って、より運転ニーズの高い運転モードを選択して冷暖房を行うことができるようになる。
【００１２】
さらに、本発明のマルチ形空気調和システムは、上記のマルチ形空気調和システムにおいて、前記冷暖モード優先パターン設定部に対して設定される複数の冷暖モード優先パターンとして、（１）サーモＯＮされている前記室内機の要求周波数合計値が多い方の運転モードを選択するサーモＯＮ要求周波数合計優先パターン、（２）サーモＯＮされている前記室内機の要求周波数割合合計値が多い方の運転モードを選択するサーモＯＮ要求周波数割合合計優先パターン、（３）前記各室内機の要求周波数割合を比較して、その値が一番大きい室内機の運転モードを選択し、所定時間後に優先室内機の要求周波数割合が低下して他の室内機以下となったら再計算する要求ニーズが高い室内機優先パターン、（４）リモコン後押し室内機の要求周波数割合を他のモードの室内機と比較して、後押し室内機の値の方が他のモードの室内機の値に比べて大きい場合、後押し室内機の運転モードを優先し、所定時間後に新規リモコンＯＮ室内機の要求周波数割合が他の室内機以下となったら再計算してサーモＯＮ要求周波数割合合計優先パターンの戻るリモコン後押し優先アルファパターンＡ、（５）リモコン後押し室内機の要求周波数を他のモードの室内機と比較し、後押し室内機の値の方が他のモードの室内機の値に比べて大きい場合、後押し室内機の運転モードを優先し、所定時間後に新規リモコンＯＮ室内機の要求周波数が他の室内機以下となったら再計算してサーモＯＮ要求周波数合計優先パターンの戻るリモコン後押し優先アルファパターンＢ、の中の少なくとも２以上のパターンが設定されていることを特徴とする。
【００１３】
本発明によれば、冷暖モード優先パターン設定部に設定される各室内機からの要求周波数または要求周波数割合に基づく複数の冷暖モード優先パターンとして、少なくとも上記（１）ないし（５）の中の少なくとも２以上のパターンが設定されているため、そのいずれかを顧客ニーズに合わせて選択し、設定することができる。従って、それぞれの優先パターンにおいて、冷房または暖房要求度を加味したより運転ニーズの高い運転モードを選択して冷暖房を行うことができる。
【００１４】
さらに、本発明のマルチ形空気調和システムは、上記のマルチ形空気調和システムにおいて、前記（１）ないし（５）の冷暖モード優先パターンに加えて、前記冷暖モード優先パターン設定部には、（６）リモコンＯＮ室内機台数が多い方の運転モードを選択するリモコンＯＮ室内機台数優先パターン、（７）リモコンＯＮ室内機容量合計値が多い方の運転モードを選択するリモコンＯＮ室内機容量優先パターン、（８）サーモＯＮ室内機台数が多い方の運転モードを選択するサーモＯＮ室内機台数優先パターン、（９）サーモＯＮ室内機容量合計値が多い方の運転モードを選択するサーモＯＮ室内機容量優先パターン、（１０）リモコン先押し室内機の運転モードを優先する先押し優先モードのサールＯＮ室内機がゼロとなったら、運転モードを再計算するリモコン先押し優先アルファパターン、の少なくとも１以上のパターンが設定されていることを特徴とする。
【００１５】
本発明によれば、冷暖モード優先パターン設定部に設定される冷暖モード優先パターンとして、上記（１）ないし（５）の冷暖モード優先パターンに加えて、上記（６）ないし（１０）の冷暖モード優先パターンの中の少なくとも１以上のパターンが設定されているため、１０種の優先パターンの中から顧客ニーズに合ったパターンを選択して設定し、その冷暖モード優先パターンにより運転モードを決定して冷房または暖房運転を行うことができるようになる。従って、より顧客ニーズに合ったパターンで運転モードを選択して各室内機を冷暖房運転することができる。
【００１６】
さらに、本発明のマルチ形空気調和システムは、上述のいずれかのマルチ形空気調和システムにおいて、前記パターン選択部は、７セグメントの表示・選択部、集中コントローラまたは外部からの指令信号のいずれかにより構成されていることを特徴とする。
【００１７】
本発明によれば、冷暖モード優先パターンを選択するパターン選択部が、７セグメントの表示・選択部、集中コントローラまたは外部からの指令信号のいずれかにより構成されているため、７セグメントの表示・選択部、集中コントローラまたは外部からの指令信号のいずれかを介して冷暖モード優先パターン設定部に設定されている複数の冷暖モード優先パターンの中から顧客ニーズに合ったパターンの少なくとも１つを選択し、設定することができる。従って、現場において冷暖モード優先パターンの選択、設定を、７セグメントの表示・選択部、集中コントローラまたは外部からの指令信号等のパターン選択部を介して簡便に行うことができる。
【発明の効果】
【００１８】
本発明によると、冷暖モードを決定するパターンを、室外機側コントローラの冷暖モード優先パターン設定部に設定されている複数の冷暖モード優先パターンの中から、顧客ニーズに最も適合すると考えられるものをパターン選択部により選択して設定することが可能となり、その冷暖モード優先パターンにより運転モードを決定して冷房または暖房運転を行うことができるため、冷暖モードの決定に対する多様な顧客ニーズにも、最適なパターンを現場で簡易に選択し、設定することにより応えることができるようになる。
【図面の簡単な説明】
【００１９】
【図１】本発明の一実施形態に係るマルチ形空気調和システムの構成図である。
【図２】そのシステムにおける冷暖モード優先パターンの決定の仕方の一例を示す模式図である。
【発明を実施するための形態】
【００２０】
以下に、本発明の一実施形態について、図１および図２を参照して説明する。
図１には、本実施形態に係るマルチ形空気調和システムの構成図が示されている。
マルチ形空気調和システム１は、１台の室外機２と、室外機２から導出されるガス側配管４および液側配管５と、このガス側配管４および液側配管５間に分岐器６を介して並列に接続されている複数台の室内機７Ａ，７Ｂと、から構成されている。
【００２１】
室外機２は、冷媒を圧縮するインバータ駆動の圧縮機２１と、冷媒ガス中から冷凍機油を分離する油分離器２２と、冷媒の循環方向を切り換える四方切換弁２３と、冷媒と外気とを熱交換させる室外熱交換器２４と、室外熱交換器２４と一体的に構成されている過冷却コイル２５と、暖房用の室外膨張弁（ＥＥＶＨ）２６と、液冷媒を貯留するレシーバ２７と、液冷媒に過冷却を与える過冷却熱交換器２８と、過冷却熱交換器２８に分流される冷媒量を制御する過冷却用膨張弁（ＥＥＶＳＣ）２９と、圧縮機２１に吸入される冷媒ガスから液分を分離し、ガス分のみを圧縮機２１に吸入させるアキュームレータ３０と、ガス側操作弁３１と、液側操作弁３２と、を備えている。
【００２２】
室外機２側の上記各機器は、吐出配管３３Ａ、ガス配管３３Ｂ、液配管３３Ｃ、ガス配管３３Ｄ、吸入配管３３Ｅ、および過冷却用の分岐配管３３Ｆ等の冷媒配管を介して公知の如く接続され、室外側冷媒回路３４を構成している。また、室外機２には、室外熱交換器２４に対して外気を送風する室外ファン３５が設けられている。さらに、油分離器２２と圧縮機２１の吸入配管３３Ｅとの間には、油分離器２２内で吐出冷媒ガスから分離された冷凍機油を所定量ずつ圧縮機２１側に戻すための油戻し回路３６が設けられている。
【００２３】
ガス側配管４および液側配管５は、室外機２のガス側操作弁３１および液側操作弁３２に接続される冷媒配管であり、現場での据え付け施工時に、室外機２とそれに接続される室内機７Ａ，７Ｂとの間の距離に応じてその長さが設定されるようになっている。ガス側配管４および液側配管５の途中には、適宜数の分岐器６が設けられ、この分岐器６を介してそれぞれ適宜台数の室内機７Ａ，７Ｂが接続されている。これによって、密閉された１系統の冷凍サイクル３が構成されている。
【００２４】
室内機７Ａ，７Ｂは、冷媒と室内空気とを熱交換させて室内の空調に供する室内熱交換器７１と、冷房用の室内膨張弁（ＥＥＶＣ）７２と、室内熱交換器７１を通して室内空気を循環させる室内ファン７３と、室内コントローラ７４と、各室内機７Ａ，７Ｂの運転操作を行うリモコン７５と、を備えており、室内側の分岐ガス側配管４Ａ，４Ｂおよび分岐液側配管５Ａ，５Ｂを介して分岐器６に接続されている。
【００２５】
上記マルチ形空気調和システム１において、冷房運転は、以下のように行われる。
圧縮機２１で圧縮された高温高圧の冷媒ガスは、吐出配管３３Ａに吐出され、油分離器２２で冷媒中に含まれている冷凍機油が分離される。その後、冷媒ガスは、四方切換弁２３によりガス配管３３Ｂ側に循環され、室外熱交換器２４で室外ファン３５により送風される外気と熱交換されて凝縮液化される。この液冷媒は、過冷却コイル２５で更に冷却された後、室外膨張弁２６を通過し、レシーバ２７にいったん貯留される。
【００２６】
レシーバ２７で循環量が調整された液冷媒は、液配管３３Ｃを介して過冷却熱交換器２８に流通される過程で、過冷却用分岐配管３３Ｆに一部が分流され、過冷却用膨張弁（ＥＥＶＳＣ）２９により断熱膨張された冷媒と熱交換されて過冷却度が付与される。この液冷媒は、液側操作弁３２を経て室外機２から液側配管５へと導出され、更に液側配管５に導出された液冷媒は、分岐器６により各室内機７Ａ，７Ｂの分岐液側配管５Ａ，５Ｂへと分流される。
【００２７】
分岐液側配管５Ａ，５Ｂに分流された液冷媒は、各室内機７Ａ，７Ｂに流入し、室内膨張弁（ＥＥＶＣ）７２で断熱膨張され、気液二相流となって室内熱交換器７１へと流入される。室内熱交換器７１では、室内ファン７３により循環される室内空気と冷媒とが熱交換され、室内空気は冷却されて室内の冷房に供される。一方、冷媒はガス化され、分岐ガス側配管４Ａ，４Ｂを経て分岐器６に至り、他の室内機からの冷媒ガスとガス側配管４で合流される。
【００２８】
ガス側配管４で合流された冷媒ガスは、再び室外機２に戻り、ガス側操作弁３１、ガス配管３３Ｄ、四方切換弁２３を経て吸入配管３３Ｅに至り、分岐配管３３Ｆからの冷媒ガスと合流された後、アキュームレータ３０に導入される。アキュームレータ３０では、冷媒ガス中に含まれている液分が分離され、ガス分のみが圧縮機２１へと吸入される。この冷媒は、圧縮機２１において再び圧縮され、以上のサイクルを繰り返すことによって冷房運転が行われる。
【００２９】
一方、暖房運転は、以下のように行われる。
圧縮機２１により圧縮された高温高圧の冷媒ガスは、吐出配管３３Ａに吐出され、油分離器２２で冷媒中に含まれている冷凍機油が分離された後、四方切換弁２３によりガス配管３３Ｄ側に循環される。この冷媒は、ガス側操作弁３１、ガス側配管４を経て室外機２から導出され、更に分岐器６、室内側の分岐ガス側配管４Ａ，４Ｂを経て室内機７Ａ，７Ｂへと導入される。
【００３０】
室内機７Ａ，７Ｂに導入された高温高圧の冷媒ガスは、室内熱交換器７１で室内ファン７３を介して循環される室内空気と熱交換され、室内空気は加熱されて室内の暖房に供される。室内熱交換器７１で凝縮された液冷媒は、室内膨張弁（ＥＥＶＣ）７２、分岐液側配管５Ａ，５Ｂを経て分岐器６に至り、他の室内機からの冷媒と合流された後、液側配管５を経て室外機２に戻される。なお、暖房時、室内機７Ａ，７Ｂでは、凝縮器として機能する室内熱交換器７１の冷媒出口温度（以下、熱交出口温度という。）または冷媒過冷却度が制御目標値となるように、後述の通り室内膨張弁（ＥＥＶＣ）７２の開度が制御されるようになっている。
【００３１】
室外機２に戻った冷媒は、液側操作弁３２、液配管３３Ｃを経て過冷却熱交換器２８に至り、冷房時の場合と同様に過冷却が付与された後、レシーバ２７に流入され、いったん貯留されることにより循環量が調整される。この液冷媒は、液配管３３Ｃを介して室外膨張弁（ＥＥＶＨ）２６に供給され、そこで断熱膨張された後、過冷却コイル２５を経て室外熱交換器２４へと流入される。
【００３２】
室外熱交換器２４では、室外ファン３５から送風される外気と冷媒とが熱交換され、冷媒は外気から吸熱して蒸発ガス化される。この冷媒は、室外熱交換器２４からガス配管３３Ｂ、四方切換弁２３、吸入配管３３Ｅを経て過冷却用分岐配管３３Ｆからの冷媒と合流され、アキュームレータ３０に導入される。アキュームレータ３０では、冷媒ガス中に含まれている液分が分離されてガス分のみが圧縮機２１へと吸入され、圧縮機２１において再び圧縮される。以上のサイクルを繰り返すことによって暖房運転が行われる。
【００３３】
上記マルチ形空気調和システム１の特性として、複数台の室内機７Ａ，７Ｂは、それぞれ異なる場所に設置されることから、設置場所に対応して容量の異なる室内機７Ａ，７Ｂが設置されることがある。また、四方切換弁２３により冷房サイクルと暖房サイクルとに切換えられる上記マルチ形空気調和システム１では、同じ室外機２に接続されている複数台の室内機７Ａ，７Ｂは、全て同一の冷房モードまたは暖房モードで運転されることになるが、例えば、北向きの部屋に設置された室内機７Ａでは、暖房運転が求められるのに対して、南向きの部屋の窓側に面して設置された室内機７Ｂは、冷房運転が求められる場合がある等、異なる運転モードでの運転が求められるケースがある。
【００３４】
このため、上記のようなケースでは、冷房、暖房のいずれのモードで運転するかを予めルール化し、設定しておく必要があり、いずれの運転モードを優先するかについて、従来から様々な冷暖モード優先パターンが提案されているが、それぞれ一長一短がある。しかも顧客によって、そのニーズが様々であることから、決定的なパターンがないのが実態である。そこで、本実施形態では、多様な顧客ニーズに可能な限り応えられるようにすると同時に、各室内機７Ａ，７Ｂからの冷房要求度または暖房要求度を加味して運転モードを決定できるようにするため、以下のような構成を採用している。
【００３５】
室外機２側のコントローラ（室外コントローラ）４０に、各室内機７Ａ，７Ｂの室内コントローラ７４から、その冷房要求度あるいは暖房要求度を表す指標として入力される要求周波数（Ｆｋ）または要求周波数（Ｆｋ）割合に基づき、運転モードを決定する複数の冷暖モード優先パターンが設定されている冷暖モード優先パターン設定部４１と、この冷暖モード優先パターン設定部４１に設定された複数の冷暖モード優先パターンのいずれかで各室内機７Ａ，７Ｂを運転する運転制御部４２と、冷暖モード優先パターン設定部４１に設定されている複数の冷暖モード優先パターンの中からいずれかを選択するパターン選択部４３と、が設けられた構成とされている。なお、パターン選択部４３は、７セグメントの表示・選択部により構成することができる。
【００３６】
ここで、要求周波数（Ｆｋ）とは、冷房時および暖房時のそれぞれにおいて、各室内機７Ａ，７Ｂの室温設定温度と吸込み空気温度との偏差Ｅを周波数相当の数値に代替したものであり、容量が異なる各室内機７Ａ，７Ｂの機種に対応して、その周波数範囲を予め規定したものである。また、要求周波数（Ｆｋ）割合とは、その室内機の容量に応じた最大要求周波数（Ｆｋ）に対する要求周波数（Ｆｋ）の割合を示すものである。
【００３７】
かかる要求周波数（Ｆｋ）または要求周波数（Ｆｋ）割合に基づいて運転モードを決定することにより、より運転ニーズの高い運転モードを選択して冷暖房運転を行うことができるようになる。そして、本実施形態では、多様な顧客ニーズに応えられるように、冷暖モード優先パターン設定部４１に対し、各室内機７Ａ，７Ｂからの要求周波数（Ｆｋ）または要求周波数（Ｆｋ）割合に基づいて運転モードを決定できるようにするため、以下の（１）ないし（５）の５つの冷暖モード優先パターンの中の複数、すなわち少なくとも２以上のパターンを設定し、パターン選択部（７セグメント）４３により、そのいずれかを選択し、設定できるようにしている。
【００３８】
（１）サーモＯＮ要求周波数（Ｆｋ）合計優先パターン
複数台の室内機７Ａ，７Ｂの中のサーモＯＮされている室内機の要求周波数（Ｆｋ）の合計値が多い方の運転モードを選択するパターンである。
（２）サーモＯＮ要求周波数（Ｆｋ）割合合計優先パターン
複数台の室内機７Ａ，７Ｂの中のサーモＯＮされている室内機の要求周波数（Ｆｋ）割合の合計値が多い方の運転モードを選択するパターンである。
【００３９】
（３）要求ニーズが高い室内機優先パターン
複数台の室内機７Ａ，７Ｂの要求周波数（Ｆｋ）割合を比較して、その値が一番大きい室内機の運転モードを選択し、所定時間後に優先室内機の要求周波数（Ｆｋ）割合が低下して他の室内機以下となったら再計算するパターンである。
（４）リモコン後押し優先アルファパターンＡ
リモコン７５を後押しした室内機７Ａ，７Ｂの要求周波数（Ｆｋ）割合を他のモードの室内機の割合と比較し、後押し室内機の値の方が他のモードの室内機の値に比べて大きい場合、後押し室内機の運転モードを優先し、所定時間後に新規リモコンＯＮ室内機の要求周波数（Ｆｋ）割合が他の室内機以下となったら再計算してサーモＯＮ要求周波数割合合計優先パターンの戻るパターンである。
【００４０】
（５）リモコン後押し優先アルファパターンＢ
リモコン７５を後押しした室内機７Ａ，７Ｂの要求周波数（Ｆｋ）を他のモードの室内機の要求周波数（Ｆｋ）と比較し、後押し室内機の値の方が他のモードの室内機の値に比べて大きい場合、後押し室内機の運転モードを優先し、所定時間後に新規リモコンＯＮ室内機の要求周波数（Ｆｋ）が他の室内機以下となったら再計算してサーモＯＮ要求周波数合計優先パターンの戻るパターンである。
【００４１】
図２に、上記５つのパターンの中の（３）のパターン、すなわち要求ニーズが高い室内機優先パターンを模式化した図が示されている。
この例は、部屋１に設置された室内機７Ａは、容量が小さい２．８ｋＷの室内機、部屋２に設置された室内機７Ｂは、容量が大きい２８ｋＷの室内機とした場合のもので、例えば室内機７Ａからの要求周波数（Ｆｋ）を１５、室内機７Ａの最大要求周波数（Ｆｋ）を１５とすると、この室内機７Ａの要求周波数（Ｆｋ）割合は、１５／１５＝１００％となる結果、「要求周波数（Ｆｋ）割合が高い」、「当該室内機７Ａの運転ニーズが高い」、「優先順位が高い」ということになる。
【００４２】
一方、容量が大きい室内機７Ｂからの要求周波数（Ｆｋ）を１５、室内機７Ｂの最大要求周波数（Ｆｋ）を１２５とすると、この室内機７Ｂの要求周波数（Ｆｋ）割合は、１５／１２５＝１２％となる。その結果、「要求周波数（Ｆｋ）割合が低い」、「当該室内機７Ｂの運転ニーズが低い」、「優先順位が低い」ということになり、この場合には、要求ニーズの高い室内機７Ａの運転モードでマルチ形空気調和システム１が運転（室内機７Ａが冷房の場合は、冷房モード、暖房の場合は、暖房モード）されることになる。
【００４３】
さらに、本実施形態においては、冷暖モード優先パターン設定部４１に設定される冷暖モード優先パターンとして、顧客ニーズに対して幅広く応えられるようにするため、上記パターン（１）ないし（５）に加えて、以下のパターン（６）ないし（１０）の中の少なくとも１つ以上のパターンが設定される構成とされている。なお、このパターン（６）ないし（１０）については、前述の通り、公知のものが含まれているものとする。
（６）リモコンＯＮ室内機台数優先パターン
複数台の室内機７Ａ，７Ｂの中のリモコン７５がＯＮとされている室内機の台数が多い方の運転モードを選択するパターンである。
【００４４】
（７）リモコンＯＮ室内機容量優先パターン
複数台の室内機７Ａ，７Ｂの中のリモコン７５がＯＮとされている室内機の容量合計値が多い方の運転モードを選択するパターンである。
（８）サーモＯＮ室内機台数優先パターン
複数台の室内機７Ａ，７Ｂの中のサーモＯＮとされている室内機の台数が多い方の運転モードを選択するパターンである。
【００４５】
（９）サーモＯＮ室内機容量優先パターン
複数台の室内機７Ａ，７Ｂの中のサーモＯＮとされている室内機の容量合計値が多い方の運転モードを選択するパターンである。
（１０）リモコン先押し優先アルファパターン
リモコン７５を先押しした室内機７Ａ，７Ｂの運転モードを優先する先押し優先モードのサーモＯＮ室内機がゼロとなったら、運転モードを再計算するパターンである。
【００４６】
これらのパターン（６）ないし（１０）も、パターン（１）ないし（５）と同様、７セグメント等の表示・選択部で構成されるパターン選択部４３により、顧客ニーズに対応して適宜選択、設定され、その設定されたパターンに基づいて運転モードが決定されるようになっている。そして、その運転モードにより運転制御部４２を介してマルチ形空気調和システム１が冷房または暖房モードで運転されるようになっている。
なお、パターン選択部４３については、７セグメント等の表示・選択部に代えて、外部の集中コントローラあるいは外部からの指令信号を用いて選択する構成としてもよい。
【００４７】
斯くして、本実施形態によれば、以下の作用効果を奏する。
上記マルチ形空気調和システム１の据え付け施工時、複数台の室内機７Ａ，７Ｂの設置状況あるいは顧客ニーズに対応して、冷暖モード優先パターン設定部４１に設定されている複数の上記冷暖モード優先パターン（１）ないし（１０）の中から、最も適合すると考えられる少なくとも１つを、冷暖モードを決定するパターンとして７セグメントから構成されるパターン選択部４３により選択し、設定することができる。
【００４８】
このように、本実施形態では、冷暖モードを決定するパターンを、現場において、室外機２側のコントローラ４０の冷暖モード優先パターン設定部４１に設定されている複数の冷暖モード優先パターン（１）ないし（１０）の中から、顧客ニーズに最も適合すると考えられるものをパターン選択部４３により選択して設定することが可能となり、その選択された冷暖モード優先パターン（１）ないし（１０）により運転モードを決定して冷房または暖房運転を行うことができる。従って、冷暖モードの決定に対する多様な顧客ニーズにも、最適なパターンを現場で簡易に選択し、設定することにより応えることができるようになる。
【００４９】
特に、冷暖モード優先パターン設定部４１には、各室内機７Ａ，７Ｂ側からの要求周波数（Ｆｋ）または要求周波数（Ｆｋ）割合に基づいて、運転モードを決定する複数の冷暖モード優先パターン（１）ないし（５）の中の少なくとも２以上のパターンが設定されているため、各々の室内機７Ａ，７Ｂから出力される冷房または暖房の要求周波数（Ｆｋ）または要求周波数（Ｆｋ）割合に基づいて運転モードを決定することにより、各室内機７Ａ，７Ｂからの冷房要求度あるいは暖房要求度を加味して運転モードを決定することができる。従って、より運転ニーズの高い運転モードを選択して冷暖房を行うことができるようになる。
【００５０】
また、本実施形態においては、冷暖モード優先パターン設定部４１に設定される各室内機７Ａ，７Ｂからの要求周波数（Ｆｋ）または要求周波数（Ｆｋ）割合に基づく冷暖モード優先パターンとして、上記（１）ないし（５）の５つのパターンの中の少なくとも２以上のパターンが設定されている。このため、その中からいずれかを顧客ニーズに合わせて選択し、設定することができ、従って、それぞれの優先パターン（１）ないし（５）において、冷房または暖房要求度を加味したより運転ニーズの高い運転モードを選択して冷暖房を行うことができる。
【００５１】
さらに、本実施形態では、冷暖モード優先パターン設定部４１に設定される冷暖モード優先パターンとして、要求周波数（Ｆｋ）または要求周波数（Ｆｋ）割合に基づく（１）ないし（５）の冷暖モード優先パターンに加え、上記（５）ないし（１０）の冷暖モード優先パターンの中の少なくとも１以上のパターンを設定しているため、１０種の優先パターンの中から顧客ニーズに合ったパターンを選択して設定し、それら冷暖モード優先パターン（１）ないし（１０）のいずれかにより運転モードを決定して冷房または暖房運転を行うことができるようになる。従って、より顧客ニーズに合ったパターンで運転モードを選択して各室内機を冷暖房運転することができる。
【００５２】
また、冷暖モード優先パターン（１）ないし（１０）のいずれかを選択するパターン選択部４３が、７セグメントの表示・選択部、集中コントローラまたは外部からの指令信号のいずれかにより構成されている。このため、７セグメントの表示・選択部、集中コントローラまたは外部からの指令信号のいずれかを介して冷暖モード優先パターン設定部４１に設定されている複数の冷暖モード優先パターン（１）ないし（１０）の中から顧客ニーズに合ったパターンの少なくとも１つを選択し、設定することができる。従って、現場において冷暖モード優先パターン（１）ないし（１０）の選択、設定を、７セグメントの表示・選択部、集中コントローラまたは外部からの指令信号等のパターン選択部４３を介して簡便に行うことができる。
【００５３】
なお、本発明は、上記実施形態にかかる発明に限定されるものではなく、その要旨を逸脱しない範囲において、適宜変形が可能である。例えば、上記実施形態では、冷暖モード優先パターン（１）ないし（５）もしくは（１）ないし（１０）の中なら、１つを選択するようにした例について説明したが、複数のパターンを選択し、それを組み合せて実施するようにしてもよい。
【符号の説明】
【００５４】
１  マルチ形空気調和システム
２  室外機
７Ａ，７Ｂ  室内機
４０  室外コントローラ
４１  冷暖モード優先パターン設定部
４２  運転制御部
４３  パターン選択部（７セグメント）
７４  室内コントローラ
７５  リモコン
【図１】
2014102053.tif 000003
【図２】
2014102053.tif 000004